(57)【特許請求の範囲】
【請求項１】
天井裏に挿入して取り付けられ、下面に室内側に臨む開口を有する箱状のフレームと、前記フレーム内に、下面に吸込口を有し側面に吐出口を有したスクロール状のケーシングと、前記ケーシング内に配設される遠心送風羽根と、前記開口を前記室内側から覆って着脱自在に装着される化粧パネルと、前記遠心送風羽根を回転駆動する電動機を前記フレームの天面に備え、前記ケーシングには、前記吸込口を形成するオリフィスとを備え、前記オリフィスと前記ケーシングと前記フレームとが同一部品で形成し前記天面を鋼板で形成したものであって、前記天面の下部に前記フレーム内の前記天面から発生する結露水を削減する樹脂の板を設け、樹脂の前記板には電動機の外郭の大きさよりも少し大きい穴を設け、前記穴を貫通させて前記電動機を前記天面に固定したことを特徴とする天井埋込形換気扇。
【請求項２】
フレームの外郭には、開口部を有した空気層を介して樹脂で形成した壁で覆い、前記開口部には別部品で前記空気層を密閉空間としたことを特徴とする請求項１に記載の天井埋込形換気扇。
【請求項３】
開口に、オリフィスに重ならないカバーを設けて覆うことを特徴とする請求項１または２に記載の天井埋込形換気扇。
【請求項４】
カバーを、オリフィスのベルマウス開口にかけて最短距離で結んだ面で形成したことを特徴とする請求項３に記載の天井埋込形換気扇。
【請求項５】
開口からオリフィスのベルマウス開口にかけて、前記オリフィスとほぼ同じ開口面積の開口形状を有した第２のオリフィスを設け、前記第２のオリフィスの前記開口形状以外は前記開口を塞ぎ、前記オリフィスのベルマウスと第２のオリフィスとの隙間を少し空けたことを特徴とする請求項３に記載の天井埋込形換気扇。
【請求項６】
電動機の運転を制御する電装部を、天面の上部に設けたことを特徴とする請求項１〜５のいずれかに記載の天井埋込形換気扇。
【請求項７】
化粧パネルの形状が、天井面と平行となるフラットな横格子の形状としたことを特徴とする請求項１〜６のいずれかに記載の天井埋込形換気扇。
【請求項８】
遠心送風羽根の主板が、電動機を下面からみて完全に覆うことを特徴とする請求項１〜７のいずれかに記載の天井埋込形換気扇。
【請求項９】
側面の吐出口に対向するフレームの側面は、上方に向かうに従って、前記側面の前記吐出口側に傾いていることを特徴とする請求項１〜８のいずれかに記載の天井埋込形換気扇。
【請求項１０】
遠心送風羽根の主板が、天井面側に設けたことを特徴とする請求項１〜９のいずれかに記載の天井埋込形換気扇。
【請求項１１】
遠心送風羽根の表面に、汚れを防止するコーティングを設けたことを特徴とする請求項１〜１０のいずれかに記載の天井埋込形換気扇。
【請求項１２】
フレームの内側面に、吸湿材を貼り付けたことを特徴とする請求項１〜１１のいずれかに記載の天井埋込形換気扇。
【発明の詳細な説明】
【技術分野】
【０００１】
本発明は、主に浴室の天井面や側面に取り付けられ、屋外と本体とをダクトによって連通し、浴室内の空気を換気する天井埋込形換気扇に関する。
【背景技術】
【０００２】
従来、この種の天井埋込形換気扇の一例として、特許文献１に記載されたものが知られている。
【０００３】
以下、その天井埋込形換気扇について、図１１を参照しながら説明する。
【０００４】
図１１に示す通り、この換気扇本体１０１における本体ケース１０２の内部上方には電動機１０３が固定されている。電動機１０３の回転軸１０４には送風羽根１０５が固定され、電動送風機を形成している。前記の送風羽根１０５は、ケーシング１０６の外縁側立設部にて形成された吸気室内に配設されたものであり、その下方に位置するオリフィス形状をした吸気口１０７から室内空気を吸気し、側方に位置する排気口１０８から室外へと排気する。また、前記送風羽根１０５の下方は、前記の吸気口１０７が形成された上記ケーシング１０６の底部１０６ａによって覆われている。そして、ケーシング１０６と換気扇本体１０１とは別部品によって構成されている。
【先行技術文献】
【特許文献】
【０００５】
【特許文献１】特許第２８２６２４７号公報
【発明の概要】
【発明が解決しようとする課題】
【０００６】
このような従来の天井埋込形換気扇では、浴室に取り付けられた天井埋込形換気扇のケーシング１０６内部で発生した結露水はダクト１０９より排出されるが、ケーシング１０６と換気扇本体１０１とが別部品であるため、継ぎ目１１０から結露水が漏れことがあり、漏れた結露水は浴室内に滴下してしまい、入浴中のユーザーに降りかかるという課題がある。
【０００７】
本発明は、このような従来の課題を解決するものであり、浴室に取り付けられた天井埋込形換気扇の継ぎ目からの結露水の漏れの発生を防ぎ、更に、換気扇本体内部に発生する結露水自体の量を抑え、入浴中のユーザーに結露水が降りかかることを防止することができる天井埋込形換気扇を提供することを目的とする。
【課題を解決するための手段】
【０００８】
そして、この目的を達成するために、本発明は、天井裏に挿入して取り付けられ、下面に室内側に臨む開口を有する箱状のフレームと、前記フレーム内に、下面に吸込口を有し側面に吐出口を有したスクロール状のケーシングと、前記ケーシング内に配設される遠心送風羽根と、前記開口を前記室内側から覆って着脱自在に装着される化粧パネルと、前記遠心送風羽根を回転駆動する電動機を前記フレームの天面に備え、前記ケーシングには、前記吸込口を形成するオリフィスとを備え、前記オリフィスと前記ケーシングと前記フレームとが同一部品で形成し前記天面を鋼板で形成したものであり、これにより所期の目的を達成するものである。
【発明の効果】
【０００９】
本発明によれば、天井裏に挿入して取り付けられ、下面に室内側に臨む開口を有する箱状のフレームと、前記フレーム内に、下面に吸込口を有し側面に吐出口を有したスクロール状のケーシングと、前記ケーシング内に配設される遠心送風羽根と、前記開口を前記室内側から覆って着脱自在に装着される化粧パネルと、前記遠心送風羽根を回転駆動する電動機を前記フレームの天面に備え、前記ケーシングには、前記吸込口を形成するオリフィスとを備え、前記オリフィスと前記ケーシングと前記フレームとが同一部品で形成し前記天面を鋼板で形成したという構成にしたことにより、浴室に取り付けられた天井埋込形換気扇のケーシング内で発生した結露水が部品の継ぎ目部分から漏れることを抑え、入浴中のユーザーに結露水が降りかかることを防止できるという効果を得ることができる。
【図面の簡単な説明】
【００１０】
【図１】本発明の実施の形態１の天井埋込形換気扇の取付状態を示す断面図
【図２】同天井埋込形換気扇の部品構成を示す分解斜視図
【図３】同天井埋込形換気扇のアダプタ部の接合部を示す図（（ａ）底面図、（ｂ）側面図）
【図４】同天井埋込形換気扇の化粧パネルの形状を示す図（（ａ）正面図、（ｂ）側面図）
【図５】同天井埋込形換気扇の天井に取付ける状態を示す断面図
【図６】本発明の実施の形態２の天井埋込形換気扇を示す斜視図
【図７】同天井埋込形換気扇の空気層の位置を示す図（（ａ）上面図、（ｂ）側面図）
【図８】同天井埋込形換気扇のカバーとオリフィスの位置関係を示す断面図
【図９】本発明の実施の形態３の天井埋込形換気扇の化粧パネルを示す図（（ａ）正面図、（ｂ）側面図）
【図１０】本発明の実施の形態４の天井埋込形換気扇吸湿材の貼り付け位置を示す断面図
【図１１】従来の浴室に取付けられる天井埋込形換気扇を示す断面図
【発明を実施するための形態】
【００１１】
本発明の天井埋込形換気扇は、天井裏に挿入して取り付けられ、下面に室内側に臨む開口を有する箱状のフレームと、前記フレーム内に、下面に吸込口を有し側面に吐出口を有したスクロール状のケーシングと、前記ケーシング内に配設される遠心送風羽根と、前記開口を前記室内側から覆って着脱自在に装着される化粧パネルと、前記遠心送風羽根を回転駆動する電動機を前記フレームの天面に備え、前記ケーシングには、前記吸込口を形成するオリフィスとを備え、前記オリフィスと前記ケーシングと前記フレームとが同一部品で形成し前記天面を鋼板で形成したという構成を有する。これにより、ケーシングやオリフィスやフレームの部品と部品の継ぎ目がなくなり、継ぎ目の隙間から結露水が流れ出ることを防ぐこととなるので、入浴中のユーザーに結露水が降りかかることを防止できるという効果を奏する。
【００１２】
また、吐出口を有する着脱可能なアダプタ部を設け、前記アダプタ部とフレームとの接合部分にそれぞれ対応する凸凹形状を有し、前記アダプタ部と前記フレームとの接合手段を、前記アダプタ部側に設ける爪形状部によって上下にスライドさせ前記アダプタ部と前記フレームとを取り外し可能とした構成にしてもよい。これにより、アダプタ部とフレームとの接合が迷路構造になるので、フレーム外からの冷気をフレーム内に侵入することを防ぎ、結果結露水の発生を防ぐこととなるので、結露水の発生量を少なくすることができるという効果を奏する。
【００１３】
また、天面の下部に樹脂の板を設け、樹脂の前記板には電動機の外郭の大きさよりも少し大きい穴を設け、前記穴を貫通させて前記電動機を前記天面に固定したという構成にしてもよい。これにより、樹脂の板により冷気がフレーム内に伝導すること防ぎ、また、フレーム内の湿気が温度の低い板金に直接触れることを防ぎフレーム内の天面から発生する結露水を削減することとなるので、フレームの天面からの結露水の発生量を少なくすることができるという効果を奏する。
【００１４】
また、フレームの外郭には、開口部を有した空気層を介して樹脂で形成した壁で覆い、前記開口部には別部品で前記空気層を密閉空間としたという構成にしてもよい。これにより、空気層による断熱構造により、フレーム内面の壁部と空気の温度差を少なくすることとなるので、フレームの周囲の結露水の発生量を少なくすることができるという効果を奏する。
【００１５】
また、開口に、オリフィスに重ならないカバーを設けて覆うという構成にしてもよい。これにより、湿気を含んだ空気の流れを限定し、発生面積の低減することとなるので、開口からオリフィスの吸込口にかけて結露水の発生量を少なくすることができるという効果を奏する。
【００１６】
また、カバーを、オリフィスのベルマウス開口にかけて最短距離で結んだ面で形成したという構成にしてもよい。これにより、湿気を含んだ空気の流れを限定し結露水の発生面積を減らし、かつ、風量の圧力損失を極力抑えることとなるので、開口からオリフィスの吸込口にかけて結露水の発生量を少なくすることができ、かつ、圧力損失を抑え騒音の増加を防ぐことができるという効果を奏する。
【００１７】
また、開口からオリフィスのベルマウス開口にかけて、前記オリフィスとほぼ同じ開口面積の開口形状を有した第２のオリフィスを設け、前記第２のオリフィスの前記開口形状以外は前記開口を塞ぎ、前記オリフィスのベルマウスと第２のオリフィスとの隙間を少し空けたという構成にしてもよい。これにより、湿気を含んだ空気の流れを限定し結露水の発生面積を減らし、オリフィスと第２のオリフィスの隙間で消音することとなるので、開口からオリフィスの吸込口にかけて結露水の発生量を少なくするこができ、かつ、消音効果によって低騒音することができるという効果を奏する。
【００１８】
また、電動機の運転を制御する電装部を、天面の上部に設けたという構成にしてもよい。これにより、電源接続部を本体内部に設けず、天井裏空間に設けることで、浴室天井裏から引き込まれる電源の接続を本体に電源挿入口を設け、湿気の多い室内側に引き込むことなく天井裏で簡潔することができ、冷気の侵入を防ぎ安全性の向上させることとなるので、冷気の侵入を防ぐことで結露水の発生を削減し、かつ、安全性を高めることができるという効果を奏する。
【００１９】
また、化粧パネルの形状が、天井面と平行となるフラットな横格子の形状としたという構成にしてもよい。これにより、化粧パネルに付着したしずく重力により最下点に集中することがなくなり、しずくが成長しないでルーバーに保持させることとなるので、別部材を用いず、入浴中のユーザーに結露水が降りかかることを防止できるという効果を奏する。
【００２０】
また、遠心送風羽根の主板が、電動機を下面からみて完全に覆うという構成にしてもよい。これにより、遠心送風羽根によって電動機を覆うことで、電動機表面に湿気の接触のリスクを減らし、錆および結露水の発生を防ぐこととなるので、別部材を用いず、入浴中のユーザーに結露水が降りかかることを防止できるという効果を奏する。
【００２１】
また、側面の吐出口に対向するフレームの側面は、上方に向かうに従って、前記側面の前記吐出口側に傾いているという構成にしてもよい。これにより、アダプタ部分を外さなくても天井への取付をすることとなるので、施工性を向上させることができるという効果を奏する。
【００２２】
また、遠心送風羽根の主板が、天井面側に設けたという構成にしてもよい。これにより、ケーシングの天面側をカットしても、遠心送風羽根の性能に影響を及ぼしにくいこととなるので、施工性を向上させ、かつ、性能を低下させて騒音を増大させないという効果を奏する。
【００２３】
また、遠心送風羽根の表面に、汚れを防止するコーティングを設けたという構成にしてもよい。これにより、遠心送風羽根のお手入れをしなくとも埃が遠心送風羽根に付着することなく、埃が付着することで風量が低下し回転数が増加することを防ぐこととなるので、お手入れの手間をなくし、圧力損失により騒音の増大を防ぐことができるという効果を奏する。
【００２４】
また、フレームの内側面に、吸湿材を貼り付けたという構成にしてもよい。これにより、吸湿材で結露水を吸収し、結露水の滴下を防ぐこととなるので、別部材を用いず、入浴中のユーザーに結露水が降りかかることを防止できるという効果を奏する。
【００２５】
以下、本発明の実施の形態について、図面を参照しながら説明する。
【００２６】
（実施の形態１）
図１から図５に示すように、天井裏に挿入して天井面１に取り付けられ、下面に室内側２に臨む開口３を有する箱状のフレーム４と、前記フレーム４内に、下面に吸込口５を有し側面に吐出口６Ａを有したスクロール状のケーシング７と、前記ケーシング７内に配設される遠心送風羽根８と、前記開口３を前記室内側２から覆って着脱自在に装着される中央部が湾曲し吐出した化粧パネル９と、前記遠心送風羽根８を回転駆動する電動機１０を前記フレーム４の天面１１に備え、前記ケーシング７には、前記吸込口５を形成するオリフィス１２とを備え、前記オリフィス１２と前記ケーシング７と前記フレーム４とが同一部品で形成し前記天面１１を鋼板で形成されており、天面１１の下部に樹脂の板１３を設け、樹脂の前記板１３には電動機１０の外郭の大きさよりも少し大きい穴１４を設け、前記穴１４を貫通させて前記電動機１０を前記天面１１にねじによって固定されており、ケーシング７側から電動機１０を見た場合、電動機１０を固定するねじも天面１１も、前記樹脂の板１３によって完全に隠れる構成となっている。
【００２７】
また、吐出口６Ｂを有する着脱可能なアダプタ部１５を設け、前記アダプタ部１５とフレーム４との接合部分１６にそれぞれ対応する凸凹形状１７を有し、フレーム４側の凸凹形状１７ａとアダプタ部１５側の凸凹形状１７ｂとがそれぞれ嵌り合うようになっており、前記アダプタ部１５と前記フレーム４との接合手段を、前記アダプタ部１５側に設ける爪形状部１８によって上下にスライドさせ前記アダプタ部１５と前記フレーム４とを取り外し可能とした構成となっている。
【００２８】
また、電動機１０の運転を制御する電装部１９を、天面１１の上部に設けており、フレーム４内部の空間と全く分け隔てた状態になっており、天面１１の上部の天井裏空間２２で全ての電気工事が完結する構成となっている。
【００２９】
また、遠心送風羽根８の主板２０が、電動機１０を下面からみて完全に覆っており、下側から見て電動機１０が全く見えない状態になっており、遠心送風羽根８の主板２０は天井面１側に寄った状態になっている構成となっている。また、遠心送風羽根８に埃などの汚れが付着しにくいコーティングもしくは、帯電防止材のような、静電気による埃の付着のリスクを減らす材料を混ぜて成形している。
【００３０】
また、側面の吐出口６に対向するフレーム４の側面２１は、上方に向かうに従って、前記側面２１の前記吐出口６側に傾いており、その上部にある樹脂の板１３もその傾きに沿うように傾いており、前記板１３によってケーシング７の一部を形成している。
【００３１】
上記構成により、ケーシング７やオリフィス１２やフレーム４の部品と部品の継ぎ目がなくなり、継ぎ目の隙間から結露水が流れ出ることを防ぎ、アダプタ部１５とフレーム４との接合が迷路構造になるので、フレーム４外からの冷気をフレーム４内に侵入することを防ぎ、その結果、冷気による結露水の発生も防ぐ。また、フレーム４内上側では樹脂の板１３により冷気がフレーム４内に伝導すること防ぎ、更に、フレーム４内の湿気が温度の低い板金でできている天面１１に直接触れることを防ぎフレーム４内の天面１１から発生する結露水を削減する。また、天面１１を板金にしているため、電動機１０から発生する熱が放熱され、電動機１０自体の温度を下げることができる。また、電装部１９をフレーム４内部に設けず、天井裏空間２２に設けることで、浴室天井裏から引き込まれる電源の接続をフレーム４に電源挿入口を設け、湿気の多い室内側２に引き込むことなく天井裏空間２２で完結することができ、冷気の侵入を防ぎ安全性を向上させる。また、遠心送風羽根８の主板２０によって電動機１０を覆うことで、電動機１０表面に湿気の接触のリスクを減らし、錆および結露水の発生を防ぐ。そして、ケーシング７の天面１１側をカットしても、遠心送風羽根８の主板２０が天面１１側に寄っており、カットした側にあるため、もともと羽根としての効率が悪い部分の体積がカットされていることとなり、性能に影響を及ぼしにくく、カットした形状により、図５に示すようにアダプタ部１５を外さなくても天井面１への取付をすることが可能となる。また、遠心送風羽根８には埃が付着しにくく、埃が付着することによる羽根の仕事の効率が低下したり、回転数が増加することを防ぐ。
【００３２】
このように本発明の実施の形態１の天井埋込形換気扇によれば、浴室に取り付けられた天井埋込形換気扇のケーシング７内で発生した結露水の漏れを抑え、フレーム４内部で発生する結露水の量を少なくすることができ、別部材を用いず、入浴中のユーザーに結露水が降りかかることを防止できることとなる。また、電装部１９に浴室内の湿気を寄せ付けることなく、電動機１０の温度上昇も緩和することで製品の安全性を高めることができることとなる。また、部品を取り外すことなく直接、天井面１に取り付けることができるため、施工性を向上させ、かつ、性能を低下させて騒音を増大させないこととなり、ユーザーにお手入れの手間をなくすことができることとなる。
【００３３】
（実施の形態２）
実施の形態２は、図６から図８に示すように、上記実施の形態１に対し、フレーム４の外郭には、開口部２３を有した空気層２４を介して樹脂で形成した壁で覆い、前記開口部２３には別部品２５で前記空気層２４を密閉空間とし、開口３に、オリフィス１２に重ならないカバー２６を設けて覆い、カバー２６を、オリフィス１２のベルマウス開口２７にかけて最短距離で結んだ面で形成しており、開口３からオリフィス１２のベルマウス開口２７にかけて、前記オリフィス１２とほぼ同じ開口面積の開口形状２８を有した第２のオリフィス２９を設け、前記第２のオリフィス２９の前記開口形状２８以外は前記開口３を塞ぎ、前記オリフィス１２のベルマウス開口２７と第２のオリフィス２９との隙間を少し空けた構成とした点が相違する。
【００３４】
上記構成により、カバー２６によって湿気を含んだ空気の流れを限定し、発生面積を低減し、空気抵抗が少ないため圧力損失を増大させることがなく、前記オリフィス１２のベルマウス開口２７と第２のオリフィス２９との隙間によりサイレンサーの役割をし送風騒音を消音する。
【００３５】
このように本発明の実施の形態２の天井埋込形換気扇によれば、フレームの周囲の結露水の発生量を少なくすることができ、かつ、圧力損失を抑え騒音の増加を防ぐことができ、更に消音効果を得ることができることとなる。
【００３６】
（実施の形態３）
図９に示すように、上記実施の形態１および２に対し、化粧パネル９Ａの形状が、天井面と平行となるフラットな横格子の形状とした構成とした点が相違する。
【００３７】
上記構成により、化粧パネル９Ａに付着したしずく重力により最下点に集中することがなくなり、しずくが成長しないでルーバーに保持させる。また、化粧パネル９Ａ内部にも結露水がたまるが、フラットな形状であるため、より化粧パネル９Ａ内部に結露水を保水できる。
【００３８】
このように本発明の実施の形態３の天井埋込形換気扇によれば、別部材を用いず、入浴中のユーザーに結露水が降りかかることを防止できることとなる。
【００３９】
（実施の形態４）
図１０に示すように、上記実施の形態１に対し、フレーム４の内側面に、吸湿材３０を貼り付けた構成とした点のみ相違する。
【００４０】
上記構成により、吸湿材３０で結露水を吸収し、結露水の滴下を防ぐ。
【００４１】
このように本発明の実施の形態４の天井埋込形換気扇によれば、別部材を用いず、入浴中のユーザーに結露水が降りかかることを防止できることとなる。
【産業上の利用可能性】
【００４２】
本発明にかかる天井埋込換気扇は、結露水の滴下を減少させることを可能とするものであるので、浴室に使用される、天井に埋め込んだスクロール形状と遠心送風羽根を有する換気扇等としても有用である。
【符号の説明】
【００４３】
１    天井面
２    室内側
３    開口
４    フレーム
５    吸込口
６    吐出口
６Ａ  吐出口
６Ｂ  吐出口
７    ケーシング
８    遠心送風羽根
９    化粧パネル
９Ａ  化粧パネル
１０  電動機
１１  天面
１２  オリフィス
１３  板
１４  穴
１５  アダプタ部
１６  接合部分
１７  凸凹形状
１８  爪形状部
１９  電装部
２０  主板
２１  側面
２２  天井裏空間
２３  開口部
２４  空気層
２５  別部品
２６  カバー
２７  ベルマウス開口
２８  開口形状
２９  第２のオリフィス
３０  吸湿材
【図１】
0005564992.tif 000002
【図２】
0005564992.tif 000003
【図３】
0005564992.tif 000004
【図４】
0005564992.tif 000005
【図５】
0005564992.tif 000006
【図６】
0005564992.tif 000007
【図７】
0005564992.tif 000008
【図８】
0005564992.tif 000009
【図９】
0005564992.tif 000010
【図１０】
0005564992.tif 000011
【図１１】
0005564992.tif 000012